【事件の表示】
　上記当事者間の登録第５１０４０６８号商標の商標登録無効審判事件について、次のとおり審決する。
【結　論】
　登録第５１０４０６８号の指定商品中「第３０類　氷砂糖，水あめ」についての登録を無効とする。
　その余の指定商品についての審判請求は成り立たない。
　審判費用は、その２分の１を請求人の負担とし、２分の１を被請求人の負担とする。
【理　由】
第１　本件商標
　本件登録第５１０４０６８号商標（以下「本件商標」という。）は、「ＦＩＴＮＥＳＳ」の欧文字と「フィットネス」の片仮名を上下二段に書してなり、平成１９年４月１１日に登録出願、第３０類「茶，ウースターソース，グレービーソース，ケチャップソース，しょうゆ，食酢，酢の素，そばつゆ，ドレッシング，ホワイトソース，マヨネーズソース，焼肉のたれ，角砂糖，果糖，氷砂糖，麦芽糖，はちみつ，ぶどう糖，粉末あめ，水あめ，ごま塩，食塩，すりごま，セロリーソルト，うまみ調味料，香辛料，米，脱穀済みのえん麦，脱穀済みの大麦，食用粉類」を指定商品として、平成１９年１２月６日に登録査定、同２０年１月１１日に設定登録されたものである。
　
第２　引用商標
　請求人が本件商標は商標法第４条第１項第１１号に該当するとして引用する登録第１２７２７１７号商標（以下「引用商標」という。）は、「ＦＩＴＮＥＳＳ」の欧文字を書してなり、昭和４９年１１月２７日に登録出願、第３０類に属する商標登録原簿に記載のとおりの商品を指定商品として、同５２年５月３０日に設定登録され、その後、商標権の存続期間の更新登録が３回なされ、さらに、平成１９年６月２０日に第３０類「菓子，パン」を指定商品とする書換登録がなされ、現に有効に存続しているものである。
　
第３　請求人の主張
　請求人は、本件商標の登録を無効とする、審判費用は被請求人の負担とする、との審決を求めると申し立て、その理由を要旨次のように述べ、証拠方法として、甲第１号証ないし甲第８号証を提出した。
１　利害関係について
　請求人は、引用商標の所有者であるところ、これに近似する本件商標の使用に由来する商品の出所の混同を防止するため、また、シリーズ商標「Ｆｉｔｎｅｓｓ＋図形」（国際登録第１１０１４５８号）の暫定的拒絶理由を解消するために（甲第５号証及び甲第６号証）、無効審判の請求を行うものである。
　よって、請求人は、本件審判請求を行うことについての利害関係を有する。
２　無効理由
　本件商標は、商標法第４条第１項第１１号に違反して商標登録されたものであるから、その登録は、同法第４６条に基づき無効とされるべきものである。
３　具体的理由
（１）商品の類否
　商品の類否を判断するに際しては、生産部門・販売部門・原材料及び品質・用途・需要者の範囲が一致するかどうかを基準に総合的に考慮し、原則として、類似商品・役務審査基準によって判断すべきである（甲第７号証）。
　本件商標の指定商品中「氷砂糖，水あめ」は、その用途によって、「菓子」と「調味料」にまたがって例示されており（甲第８号証）、これらの商品が、引用商標の指定商品「菓子」と類似することは明らかである。
（２）商標の類否
　本件商標は、欧文字「ＦＩＴＮＥＳＳ」と片仮名「フィットネス」を上下二段に書してなる。これに対し、引用商標は欧文字「ＦＩＴＮＥＳＳ」からなることから、両者は、称呼及び観念を共通にする類似の商標であることも明らかである。
（３）小結
　引用商標の登録出願日は昭和４９年１１月２７日であり、本件商標の登録出願日（平成１９年４月１１日）より前であるから、本件商標は、商標法第４条第１項第１１号に該当する。
４　まとめ
　以上のとおり、本件商標は、商標法第４条第１項第１１号に該当するにもかかわらず登録されたものであるから、その登録は同法第４６条第１項第１号に基づき無効とされるべきである。
　
第４　被請求人の答弁
　被請求人は、何ら答弁していない。
　
第５　当審の判断
１　利害関係について
　無効審判の請求人は、審判請求をするについて法律上の利益を有することを要すると解されるところ、請求人は、上記「引用商標」の所有者であると認められる。
　そして、請求人は、本件商標の存在によって、自己の商標及びその管理すべき商標との間で直接的な影響を受けることがあり得るとみられるから、本件審判の請求について利害関係を有する者というべきである。
２　本件商標と引用商標の類否について
（１）商標の類否について
　本件商標は、「ＦＩＴＮＥＳＳ」の欧文字と「フィットネス」の片仮名文字を上下二段に書してなるものであるから、その構成各文字に相応して「フィットネス」の称呼及び「適切、健康」等の観念を生じるものである。
　これに対し、引用商標は、「ＦＩＴＮＥＳＳ」の欧文字を書してなるものであるから、その構成文字に相応して「フィットネス」の称呼及び「適切、健康」等の観念を生じるものである。
　そして、本件商標と引用商標とは、「ＦＩＴＮＥＳＳ」の文字構成において外観上共通にするものである。
　そうすると、本件商標と引用商標とは、「フィットネス」の称呼、「適切、健康」等の観念及び「ＦＩＴＮＥＳＳ」の外観を共通にする類似の商標というべきである。
（２）商品の類否について
ア　指定商品「氷砂糖，水あめ」について
（ア）省令別表（第六条関係）〔商標法施行規則の一部を改正する省令（平成１８年１０月２７日経済産業省令第９５号）〕における掲載
　第３０類中「四　調味料」の下位に「（三）角砂糖　果糖　氷砂糖　砂糖　麦芽糖　はちみつ　ぶどう糖　粉末あめ　水あめ」の掲載がある。
　また、第３０類中「十二　菓子及びパン」の下位、「（一）和菓子」中に「甘栗　…　氷砂糖　…　水あめ　…　らくがん」の掲載がある。
（イ）「類似商品・役務審査基準〔国際分類第９版対応〕」における掲載
　第３０類「調味料」（類似群コード：３１Ａ０１〜３１Ａ０５）の下位の点線の枠内に「角砂糖　果糖　氷砂糖　砂糖　麦芽糖　はちみつ　ぶどう糖　粉末あめ　水あめ」（類似群コード：３１Ａ０３）の掲載がある。
　また、第３０類「菓子及びパン」（類似群コード：３０Ａ０１）の「１　和菓子」の下位に「甘栗　…　氷砂糖　…　水あめ　…　らくがん」の掲載がある。
イ　そうすると、上記省令別表及び類似商品・役務審査基準において、指定商品「氷砂糖，水あめ」は、その用途により、調味料として取引される「氷砂糖，水あめ」と菓子として取引される「氷砂糖，水あめ」が例示されているということができる。
ウ　本件商標の指定商品中の「氷砂糖，水あめ」について
　本件商標の指定商品は、上記第１のとおり、第３０類「茶，…，角砂糖，果糖，氷砂糖，麦芽糖，はちみつ，ぶどう糖，粉末あめ，水あめ，…，食用粉類」であるところ、前記ア（ア）及び（イ）に例示されている商品と同一の商品が同一の記載順で指定されていることからすると、本件商標の指定商品中の「氷砂糖，水あめ」は、調味料としての商品を指定したものというのが相当である。
エ　引用商標の指定商品中の「菓子」について
　引用商標の指定商品中には、「菓子」があり、菓子には前記ア（ア）及び（イ）によれば、菓子としての 「氷砂糖，水あめ」が含まれているということができる。
オ　ところで、「氷砂糖」については、「【氷砂糖】 純度の高い砂糖を溶かし、時間をかけて大粒に結晶させたもの。料理・果実酒などに用い、またそのまま食べる。」（広辞苑第６版）と記載されており、また、インターネット情報のウィキペディアによれば、「氷砂糖（こおりざとう）は砂糖の一種で、純度の高いショ糖の大きな結晶である。外観が氷とよく似ているため、この名がある。」の記載、さらに、用途の項に「梅酒などの果実酒は、梅の青い実やカリン、レモンなどと氷砂糖を焼酎で漬けてつくられる。そのままで、非常食や、飴に似た菓子（ただし飴は氷砂糖と異なり結晶ではなくアモルファスである）として食用にもする。」と記載されている。
　また、「みずあめ」については、「【水飴】粘液状の飴。汁飴。」（広辞苑第６版）と記載されており、また、インターネット情報のウィキペディアによれば、「水飴（みずあめ）は、デンプンを酸や糖化酵素で糖化して作られた粘液状の甘味料。ブドウ糖、麦芽糖、デキストリンなどの混合物で、主成分は麦芽糖である。常態ではほぼ透明だが、混練して空気を含ませると銀白色を呈する。」の記載、さらに、概要の項に「…飴としてそのまま食べるほか、調理材料として広範に利用される。砂糖が日本に伝来する前には主要な甘味料として利用されていたが、今でも和菓子では甘味料のひとつとして使われている。…」と記載されている。
カ　以上よりすると、本件商標の指定商品中の調味料としての「氷砂糖，水あめ」と、引用商標の指定商品中の「菓子」の範ちゅうに属する「氷砂糖，水あめ」とは、前者が「調味料」として用いられる商品であり、後者が菓子（和菓子）として用いられる商品であって用途が異なるとしても、商品の製造部門が同一であり、また、原材料も同じくする場合があり、その他、販売場所、需要者の範囲においても密接な共通性ないし関連性を有するものであるから、類似する商品というのが相当である。
　なお、仮に、本件商標の指定商品中の「氷砂糖，水あめ」が、「菓子」の範ちゅうに属する「氷砂糖，水あめ」であるならば、引用商標の指定商品と類似する商品であること明らかである。
（３）そして、被請求人は、請求人の主張に対し何ら答弁していない。
（４）小結
　以上のとおりであるから、本件商標は、その指定商品中「氷砂糖，水あめ」について、商標法第４条第１項第１１号に該当するものである。
３　むすび
　したがって、本件商標は、その指定商品中「氷砂糖，水あめ」については、商標法第４条第１項第１１号に違反して登録されたものであるから、同法第４６条第１項の規定により、無効とすべきものである。
　しかしながら、本件商標の指定商品中「氷砂糖，水あめ」以外の指定商品については、引用商標の指定商品と同一又は類似する商品とは認められないものであり、商標法第４条第１項第１１号に違反して登録されたものではないから、それらについての登録を無効とすることはできない。
　よって、結論のとおり審決する。